(57)【特許請求の範囲】
【請求項１】
各一対の側板１１および端板１２と、両端板１２の底縁から延出する底フラップ１７と、一方側板１１の底縁から延出する底差板１４と、他方側板１１の底縁から延出する底受板１６とを有し、この底差板１４の両側に折り目１９ａにより区画されてその折り目１９ａを中心に回動可能な対の差込片１９を形成し、この底受板１６に対の差込スリット１６ａを形成し、底フラップ１７と底受板１６と底差板１４とをこの順に重ね合わせ、前記差込片１９を回動により起立させて前記差込スリット１６ａに差し込むことで底組みされる段ボール箱１０において、
前記差込片１９は、底差板１４の両側から中央部にかけて、先端側へと向かう斜めの切れ込みを入れることで区画形成され、
底差板１４と底受板１６を重ね合わせた際に、前記切れ込みにより形成される、差込片１９の傾斜する切れ込み縁部１９ｂの内端が、差込スリット１６ａの底受板１６先端側の一端と、ほぼ重なり合うように、かつ前記差込片１９の傾斜する切れ込み縁部１９ｂの外端が、前記差込スリット１６ａの底受板１６先端側の一端よりも、さらに底受板１６の先端側に位置するようにして、差し込みスリット１６ａに差し込まれた倒伏状態の差し込み片１９が、差込スリット１６ａから抜こうとしても引っかかって抜けないようにするとともに、
上記底差板１４および底受板１６の先端から基端にかけての長さを、それぞれ上記端板１２の板幅とほぼ同じ長さとし、上記底フラップ１７の先端から基端にかけての長さを、上記側板１１の板幅の約半分の長さとし、
対の底フラップ１７、底受板１６、底差板１４の順に重ね合わせると、底フラップ１７の先端部が突き合い、底受板１６および底差板１４がほぼ完全に重なり合うことで底がほぼ完全な三重構造になるとともに、底受板１６の差込スリット１６ａに差し込まれた底差板１４の差込片１９が底受板１６と底フラップ１７に挟み込まれることで倒伏状態が維持できるようにしたことを特徴とする段ボール箱。
【発明の詳細な説明】
【技術分野】
【０００１】
この発明は、接着テープやステープルを用いることなく底を閉止することのできる段ボール箱に関する。
【背景技術】
【０００２】
農産物等を収納する段ボール箱として、各一対の側板および端板と、両端板の底縁から延出する底フラップと、一方の側板の底縁から延出する底差板と、他方の側板の底縁から延出する底受板とを有し、この底差板の先端部両側には差込片を形成し、底受板には差込スリットを形成し、底フラップと底受板と底差板とをこの順に重ね合わせ、前記差込片を前記差込スリットに差し込むことで底組みされるものが知られている（特許文献１参照）。
【０００３】
このような段ボール箱は、接着テープやステープルを用いることなく、底差板と底受板の組み上げにより、収納現場で素早く、しかも容易に底を閉止することが可能である。
また、箱を解体する際にも、ステープル等がはね飛ぶことがないため安全でもある。
【０００４】
しかし、従来のこの種の段ボール箱は、差込スリットへの差し込み易さのみを考慮してその形状が定められていたため（例えば特許文献１の第一図では、差込スリットは半円板状）差込強度が弱かった。
そのため、スイカなどの重量の大きな農産物を収納するには適しておらず、このような重量物を収納した場合には、差込片が重量に耐え切れずに差込スリットから抜け出て、箱が底抜けしてしまうおそれがあった。
【特許文献１】実用新案登録第３５６６１４号公報
【発明の開示】
【発明が解決しようとする課題】
【０００５】
そこで、この発明の解決すべき課題は、差込片を差込スリットに差し込むことで底組みする段ボール箱について、差込片の形状を工夫することで、重量物収納時の底抜けを防止することである。
【課題を解決するための手段】
【０００６】
上記した課題を解決するため、各一対の側板および端板と、両端板の底縁から延出する底フラップと、一方の側板の底縁から延出する底差板と、他方の側板の底縁から延出する底受板とを有し、この底差板の先端部両側には対の差込片を形成し、この底受板には対の差込スリットを形成し、底フラップと底受板と底差板とをこの順に重ね合わせ、差込片を前記差込スリットに差し込むことで底組みされる、この発明の段ボール箱について、以下の構成を採用したのである。
すなわち、前記差込片を、底差板の両側から中央部にかけて、先端側へと向かう斜めの切れ込みを入れることで区画形成し、底差板と底受板を重ね合わせた際に、この切れ込みにより形成される、差込片の傾斜する切れ込み縁部の内端が、差込スリットの底受板先端側の一端と、ほぼ重なり合うようにしたのである。
【０００７】
このように構成した差込片を差込スリットへ差込んで倒伏させると、差込片の傾斜する切れ込み縁部の外端が、前記差込スリットの一端よりも、さらに底受板の先端寄りに位置することになる。
そのため、この倒伏した状態のままで、差込片を差込スリットから抜こうとしても引っかかって抜けず、簡単な構造で底抜けを防止することができる。
【０００８】
さらに、底差板および底受板の先端から基端にかけての長さを、それぞれ端板の板幅とほぼ同じ長さとすると、底組みした状態で差込板と底受板とがほぼ完全に重なり合い、底フラップの先端から基端にかけての長さを、側板の板幅の約半分の長さとするのが好ましい。
このようにすると、底組みした状態で底フラップの先端同士が突き合うため、全体として底が三重構造となり、一層底が強化される。
また、差込片が底受板と底フラップに完全に挟み込まれるため、差込スリットからの抜けが一層防止される。
【発明の効果】
【０００９】
底差板の差込片の形状を、底受板の差込スリットに差込んで倒伏させると、スリットから抜け出にくい形状としたので、底抜けが防止されて重量物の収納に好適な段ボール箱となる。
【発明を実施するための最良の形態】
【００１０】
図１に示す実施形態の段ボール箱１０のブランクは、各一対の側板１１および端板１２が交互に連設され、一方側板１１の開放された側縁には継代片１３が連設されて構成される。
ここで、それぞれの端板１２の上縁寄りには、段ボール箱１０を持ち上げる際に指を入れる、指孔１２ａが設けられている。
【００１１】
また、一方側板１１の底縁には底差板１４が、上縁には蓋板１５がそれぞれ連設され、他方側板１１の底縁には底受板１６が、上縁には蓋板１５がそれぞれ連設されている。
さらに、各端板１２の底縁には底フラップ１７が、上縁には蓋フラップ１８がそれぞれ連設されている。
【００１２】
図示のように、底差板１４の両側から中央部にかけては、底差板１４先端側に向かい斜めの切れ込みが入れられ、これにより、底差板１４の先端部分の両側は、底差板１４自体から区画されて、差込片１９を形成している。
切れ込みが入れられた部分は、差込片１９の傾斜する切れ込み縁部１９ｂになっている。
また、差込片１９と底差板１４との境界には折り目１９ａが形成され、差込片１９は底差板１４に対して折り目１９ａを中心に回動可能となっている。
さらに、差込片１９の外角隅は、後述する差込スリット１６ａへの差込みを容易とするために、斜めに切断されている。
【００１３】
一方、図示のように、底受板１６には、対向するコの字型、反転コの字型の対称形の対の差込スリット１６ａが、板幅方向に並列して形成されている。
各差込スリット１６ａの一端は、それぞれ底受板１６の中程にあり、他端はそれぞれ底受板１６の基端近くにまで達している。
また、差込スリット１６ａの両端間をつなぐ折り目１６ｂが形成されており、この折り目１６ｂと差込スリット１６ａとで区画される部分は、フラップ状になって底受板１６に対して回動可能となっている。
【００１４】
ここで、図１からわかるように、底受板１６および底差板１４の基端から先端にかけての長さは、端板１２の板幅とほぼ同じ長さとなっている。
また、底フラップ１７の基端から先端にかけての長さは、側板１１の板幅の約半分の長さとなっている。
【００１５】
この段ボール箱１０は、継代片１３を反対側の端板１２に貼り付け、嵩張らないように扁平に折り畳んだ状態で保管しておく。
【００１６】
使用に際しては、図２に示すように、各一対の側板１１および端板１２により四角筒を形成し、底フラップ１７、底受板１６、底差板１４の順に重ね合わせる。
このように重ね合わせた際の差込片１９と差込スリット１６ａとの位置関係は、図１および図２からわかるように、差込片１９の切れ込み縁部１９ｂの内端が、差込スリット１６ａの底受板１６先端側の一端とほぼ重なり合い、差込片１９の先端部が、差込スリット１６ａの底受板１６基端側の他端とほぼ重なり合うようになっている。
【００１７】
次に、図３（ａ）のように、差込片１９を、その折り目１９ａで回動させて底差板１４に対しほぼ直角に起立させ、底受板１６の差込スリット１６ａに差し込む。
【００１８】
ここで、上述のように差込片１９の外角隅が斜めに切断されており、また差込スリット１６ａと折り目１６ｂで区画される部分はフラップ状になって、折り目１６ｂを中心に回動可能となっている。
このため、差込片１９の差込位置が多少ずれても、その誤差を吸収して差込スリット１６ａにスムーズに差し込めるようになっており、差込片１９と差込スリット１６ａとが干渉するのが防止されている。
【００１９】
底組みした際には、図３（ｂ）に示すように、底受板１６と底差板１４とはほぼ完全に重なり合い、また図４に示すように、対の底フラップ１７はその先端部が突き合う。
したがって図５（ｂ）のように、段ボール箱１０の底はほぼ完全な三重構造となり、底の強度が従来の段ボール箱に比べて格段に強化されている。
【００２０】
また、底組みした状態で、段ボール箱１０内に、図４の矢印で示すようにスイカ等の重量物を収納すると、重量物の重みと、段ボール素材の持つ復元弾性により、底差板１４に対して起立していた差込片１９が倒伏し、この倒伏状態が維持されることとなる。
【００２１】
こうして重量物を収納した状態で、蓋フラップ１８および蓋板１５をこの順に重ね合わせて段ボール箱１０の上面を閉止した後、出荷されることとなる。
【００２２】
また、重量物を出荷先で取り出した後は、差込片１９を底差板１４に対してほぼ直角に起立させ、底受板１６の差込スリット１６ａから抜くことで簡単に段ボール箱１０を解体することができる。
【００２３】
ここで図５に示すように、差込片１９の倒伏状態においては、底受板１６の基端から差込片１９の切れ込み縁部１９ｂの外端にかけての距離ｄ１が、底受板１６の基端から差込スリット１６ａの底受板１６先端側の一端までの距離ｄ２よりも大きくなっている。
すなわち、差込片１９の切れ込み縁部１９ｂの外端が、差込スリット１６ａの底受板１６先端側の一端よりも、さらに底受板１６の先端側に位置するようになっている。
そのため、倒伏状態の差込片１９を、差込スリット１６ａから抜こうとしてもひっかかって抜けず、箱１０の底抜けが簡単な構造で防止されている。
【図面の簡単な説明】
【００２４】
【図１】段ボール箱の展開図
【図２】段ボール箱の底組み過程を底面側から示す部分斜視図
【図３】段ボール箱の底組み過程を底面側から示す部分斜視図
【図４】段ボール箱の底組み過程を上面側から示す部分斜視図
【図５】（ａ）は底組みされた段ボール箱の差込片と差込スリットの部分の平面図、（ｂ）は（ａ）の矢印断面図
【符号の説明】
【００２５】
１０  実施形態の段ボール箱
１１  側板
１２  端板
１２ａ  指孔
１３  継代片
１４  底差板
１５  蓋板
１６  底受板
１６ａ  差込スリット
１６ｂ  折り目
１７  底フラップ
１８  蓋フラップ
１９  差込片
１９ａ  折り目
１９ｂ  切れ込み縁部
【図１】
0005069062.tif 000002
【図２】
0005069062.tif 000003
【図３】
0005069062.tif 000004
【図４】
0005069062.tif 000005
【図５】
0005069062.tif 000006